(57)【特許請求の範囲】
【請求項１】
前輪（１０２）と、後輪（１０３）と、動力遮断操作用のクラッチレバー（３３）により走行動力を断接する爪クラッチ機構（３１）からなる伝動調節手段を備えた作業車両用走行伝動装置と、苗タンク（４１）を備える植付装置（１０５）を設けた乗用田植機において、
苗タンク（４１）を左右に往復駆動するリードカム部（４２）を設け、該リードカム部（４２）に左右のダストブーツ（４３）を装着し、
左右のダストブーツ（４３）内に連通する給油路（４５）を設け、該給油路（４５）によりダストブーツ（４３）内の負圧を利用してオイルをリードカム部（４２）に給油してなり、
上記給油路（４５）は、オイルタンク（Ｔ）からチェックバルブ（４４）を介して左右のダストブーツ（４３）内に連通する構成としたことを特徴とする乗用田植機。
【請求項２】
前輪（１０２）と、後輪（１０３）と、動力遮断操作用のクラッチレバー（３３）により走行動力を断接する爪クラッチ機構（３１）からなる伝動調節手段を備えた作業車両用走行伝動装置と、苗タンク（４１）を備える植付装置（１０５）を設けた乗用田植機において、
苗タンク（４１）を左右に往復駆動するリードカム部（４２）を設け、該リードカム部（４２）に左右のダストブーツ（４３）を装着し、
左右のダストブーツ（４３）内に連通する給油路（４５）を設け、該給油路（４５）によりダストブーツ（４３）内の負圧を利用してオイルをリードカム部（４２）に給油してなり、
除草剤（Ａ）や米糠ペレット（Ｂ）を散布するための施用ホース（７１）と、該施用ホース（７１）を回動可能に支持するホースホルダ（７３）と、苗タンク（４１）の左右スライド動作に連動するアーム部（７４）を設け、該アーム部（７４）からギヤ機構（７５）を介してホースホルダ（７３）を回動させることにより、苗タンク（４１）の左右スライド動作に連動して施用ホース（７１）を移動させて除草剤（Ａ）や米糠ペレット（Ｂ）を苗タンク（４１）の全幅にわたって散布する構成としたことを特徴とする乗用田植機。
【請求項３】
伝動調節手段は、爪クラッチ機構（３１）の伝動下手側にその伝動トルクの範囲内の制動トルクを作用しうるブレーキ機構（３２）を設け、このブレーキ機構（３２）は、操作位置に応じて制動トルクを作用するブレーキレバー（３４）と、このブレーキレバー（３４）の操作解除による戻り速度を抑える抑速ダンパ（３５）を備え、かつ、上記クラッチレバー（３３）とブレーキレバー（３４）の操作を同時解除をするための連繋機構（３６，３７）を設けたことを特徴とする請求項２に記載の乗用田植機。
【発明の詳細な説明】
【技術分野】
【０００１】
本発明は、爪クラッチ機構を備えて走行動力を断接調節する作業車両用走行伝動装置を設けた乗用田植機に関するものである。
【背景技術】
【０００２】
特許文献１に示すように、田植機等に適用される走行伝動装置が知られている。この走行伝動装置は、一般的な摩擦式クラッチを採用することによりスムーズな発進を可能とし、走行駆動系に対する過大な負荷を抑えるとともに、作業者の負担を軽減することができる。
【特許文献１】特開平９−８９１０１号公報
【発明の開示】
【発明が解決しようとする課題】
【０００３】
しかしながら、摩擦クラッチは過負荷で滑りを生じることから、走行負荷が高いときは伝達効率が悪くなり、ひいては十分な走行動力が得られないことがあるので伝動容量の大きい大型の装置が必要となり、構成機器の小型化およびコスト低減のネックとなっていた。その一方で、構造が簡単で低コストで大動力の伝動が可能な爪クラッチは、車両の発進の際の瞬間的な接続伝動により急発進を起こして作業者に不快感を与えるのみならず、田植機等の作業機では後輪車軸について大きな負荷を及ぼすこととなる。
【０００４】
解決しようとする問題点は、走行伝動系および作業者への過大な負荷を招くことのない滑らかな走行性を確保しつつ、爪クラッチ機構の特性を生かして簡易かつ小型の構成で効率的な伝動を可能とする作業車両用走行伝動装置を提供することにある。また、苗タンクを左右に往復駆動するリードカム部を設けた乗用田植機において、オイルを給油できるようにすることを課題とする。
【課題を解決するための手段】
【０００５】
請求項１に係る発明は、前輪（１０２）と、後輪（１０３）と、動力遮断操作用のクラッチレバー（３３）により走行動力を断接する爪クラッチ機構（３１）からなる伝動調節手段を備えた作業車両用走行伝動装置と、苗タンク（４１）を備える植付装置（１０５）を設けた乗用田植機において、苗タンク（４１）を左右に往復駆動するリードカム部（４２）を設け、該リードカム部（４２）に左右のダストブーツ（４３）を装着し、左右のダストブーツ（４３）内に連通する給油路（４５）を設け、該給油路（４５）によりダストブーツ（４３）内の負圧を利用してオイルをリードカム部（４２）に給油してなり、上記給油路（４５）は、オイルタンク（Ｔ）からチェックバルブ（４４）を介して左右のダストブーツ（４３）内に連通する構成としたことを特徴とする乗用田植機とした。
【０００６】
また、請求項２に係る発明は、前輪（１０２）と、後輪（１０３）と、動力遮断操作用のクラッチレバー（３３）により走行動力を断接する爪クラッチ機構（３１）からなる伝動調節手段を備えた作業車両用走行伝動装置と、苗タンク（４１）を備える植付装置（１０５）を設けた乗用田植機において、
苗タンク（４１）を左右に往復駆動するリードカム部（４２）を設け、該リードカム部（４２）に左右のダストブーツ（４３）を装着し、
左右のダストブーツ（４３）内に連通する給油路（４５）を設け、該給油路（４５）によりダストブーツ（４３）内の負圧を利用してオイルをリードカム部（４２）に給油してなり、除草剤（Ａ）や米糠ペレット（Ｂ）を散布するための施用ホース（７１）と、該施用ホース（７１）を回動可能に支持するホースホルダ（７３）と、苗タンク（４１）の左右スライド動作に連動するアーム部（７４）を設け、該アーム部（７４）からギヤ機構（７５）を介してホースホルダ（７３）を回動させることにより、苗タンク（４１）の左右スライド動作に連動して施用ホース（７１）を移動させて除草剤（Ａ）や米糠ペレット（Ｂ）を苗タンク（４１）の全幅にわたって散布する構成としたことを特徴とする乗用田植機とした。
また、請求項３に係る発明は、伝動調節手段は、爪クラッチ機構（３１）の伝動下手側にその伝動トルクの範囲内の制動トルクを作用しうるブレーキ機構（３２）を設け、このブレーキ機構（３２）は、操作位置に応じて制動トルクを作用するブレーキレバー（３４）と、このブレーキレバー（３４）の操作解除による戻り速度を抑える抑速ダンパ（３５）を備え、かつ、上記クラッチレバー（３３）とブレーキレバー（３４）の操作を同時解除をするための連繋機構（３６，３７）を設けたことを特徴とする請求項２に記載の乗用田植機とした。
【０００７】
上記のように伝動調節手段を備えた走行伝動装置を構成することにより、爪クラッチ機構はクラッチレバーの操作とその解除によって走行動力の切断と接続を行い、小型のブレーキ機構はブレーキレバーの操作によって爪クラッチ機構の伝動下手側で爪クラッチ機構の伝動トルクの範囲内の制動トルクを作用し、同ブレーキレバーの操作解除時には抑速ダンパによってブレーキレバーの戻り速度が抑えられて当初の大きな制動トルクが次第に低減され、また、上記爪クラッチ機構の操作解除時は連繋機構によってブレーキ機構が同時に操作解除される。
【発明の効果】
【０００８】
よって、請求項１に係る発明によれば、苗タンクを左右に往復駆動するリードカム部を設けた乗用田植機において、給油路により、左右のダストブーツ内の負圧を利用してオイルを自動給油することができる。
また、請求項２に係る発明によれば、複雑な構成を要さずに施用ホースを往復動作させることができる。
【０００９】
また、請求項３に係る発明によれば、請求項２に係る発明の効果に加えて、クラッチレバーとブレーキレバーが共に操作位置にある停車状態においては、連繋機構を介して両レバーが共に操作解除されると、爪クラッチ機構の接続によって伝達された動力は小型のブレーキ機構の当初の制動トルクによって出力トルクが小さく抑えられ、その後、次第に増加することとなり、その結果、発進時のショックが抑えられて滑らかな走行性が確保されることから、簡易かつ小型の構成によって効率的な伝動性を有する爪クラッチ機構の特性を生かしつつ、滑らかな走行性によって走行伝動系および作業者への負荷を軽減することができる。
【発明を実施するための最良の形態】
【００１０】
本発明の実施の形態について、以下に図面に基づいて詳細に説明する。
まず、本発明の適用対象となる乗用田植機について説明する。たとえば、乗用田植機１０１は、その全体側面図を図１に示すように、前輪１０２と後輪１０３とによって支持された機体フレーム１０４の後部に苗を植え付けるための植付装置等の作業装置１０５を備えて構成される。機体フレーム１０４には、その前半部に伝動装置１０６を、また、後半部の座席１０７の下にエンジン１０８を装荷することにより、機体の走行とともに植付装置等の作業装置を稼動するほか、補助苗枠１０９を備えて苗箱を搭載する。
【００１１】
上記伝動装置１０６は、構成展開図を図２に示すように、エンジン側からベルト伝動されるプーリ軸２によって動力を受けるＨＳＴと略称される静油圧式無段変速機３を一体に備え、この静油圧式無段変速機３から変速回転動力を受ける入力部には入力軸４と切替軸５、この入力部から動力を受けて走行動力を出力する走行系伝動部には、選択軸６、差動出力軸７，７、連動出力軸８，８、および、同入力部から動力を受けて植付装置等の作業装置動力を出力する作業系伝動部には、減速軸９、張出軸１０、作業出力軸１１等を備えて構成する。
【００１２】
静油圧式無段変速機３は、低重心化と前後方向長さの低減とによって構成のコンパクト化を図るために、伝動装置１０６の側面視においてそのアウトライン内に、すなわち、伝動機の上下と前後の長さ寸法内に含まれるように配置し、プーリ軸２に受けたエンジン動力を正逆方向に無段変速して入力軸４に伝動する。切替軸５は、入力軸４から減速歯車伝動によって動力を受けるとともに切替ギヤ２１とその切替位置を選択するシフタ２２を備える。切替ギヤ２１には作業用の小径ギヤ２１ａと移動走行用の大径ギヤ２１ｂとを備え、後述のように、切替ギヤ２１に４ポジションを設定し、シフタ２２により選択したポジションに応じて走行系伝動部と作業系伝動部への伝動を切替える。
【００１３】
選択軸６には、その一端にブレーキ２３を備えるとともに、大径ギヤ６ａと小径ギヤ６ｂを備えて切替軸５から切替ギヤ２１を介して選択的に伝動を受ける。この選択軸６は、ブレーキ２３により走行系伝動部の入力側の回動を拘束することができ、また、切替ギヤ２１のポジションに応じて作業系伝動部の回動を拘束することができる。大径ギヤ６ａは作業時の低速走行用であり、小径ギヤ６ｂは移動時の高速走行用である。
【００１４】
左右の差動出力軸７，７の間には選択軸６からデフケース２４ａに動力を受ける差動機構２４を構成することにより、デフケース２４ａに受けた動力が差動出力され、操舵前輪を駆動する。デフケース２４ａの両側部にはスリーブ軸２５，２５を延出してその外側部を軸支するとともに、スリーブ軸２５と連動出力軸８との間にベベルギヤ等の傾斜軸間伝動用の歯車による伝動機構２６を左右それぞれに設け、スリーブ軸２５、２５から連動出力軸８，８に直接的に伝動出力する。連動出力軸８，８は、差動出力軸７，７と直交配置し、それぞれの速度調節用のクラッチ２７，２７を介設して伝動装置１０６の後端部に突出して配置する。この連動出力軸８，８により後輪を駆動する。
【００１５】
このように走行系伝動部を構成することにより、差動機構２４のデフケース２４ａに受けた回転動力は、左右の差動出力軸７，７に伝動されるとともに、左右のスリーブ軸２５，２５のベベルギヤ等による傾斜軸間の伝動機構２６，２６を介して、中間ギヤを要することなく、左右の連動出力軸８，８に直接的に動力が伝達され、この連動出力軸８，８によって伝動装置の後部に左右同速の動力が出力される。
【００１６】
上記走行系伝動部の構成により、伝動装置は、操舵前輪と連動して左右同速で後部出力する連動出力軸８，８について、中間ギヤやその支持用のカウンタ軸等の中間伝動部品の数を抑えて簡易かつコンパクトに構成できることから、連動出力軸８，８の伝動系について伝動効率と信頼性の向上とにより、コスト低減および全体の小型軽量化とともに走行性能の向上を図ることができる。
【００１７】
（伝動調節手段）
また、上記入力軸４には爪クラッチ機構３１による伝動調節手段を構成する。詳細には、図３の要部拡大図に示すように、爪クラッチ機構３１の伝動下手側にブレーキ機構３２を設ける。上記爪クラッチ機構３１は動力遮断操作用のクラッチレバー３３を備え、また、ブレーキ機構３２には駒３４ｐを介して連結する制動操作用のブレーキレバー３４と操作解除時の戻り速度を抑える抑速ダンパ３５を設ける。このブレーキレバー３４の端部には操作カム３６を設け、そのカム軸３６ａからギヤ機構３７とワイヤ３８を介してクラッチレバー３３と連結することにより、ブレーキ機構３２と爪クラッチ機構３１の操作を同時に解除する連繋機構を構成する。
【００１８】
上記構成の伝動調節手段を走行系伝動部に構成することにより、爪クラッチ機構３１はクラッチレバー３３の操作とその解除によって走行動力の切断と接続を行い、ブレーキ機構３２はブレーキレバー３４の操作によって爪クラッチ機構３１の伝動下手側で同爪クラッチ機構３１の伝動トルクの範囲内に限定した制動トルクを作用し、同ブレーキレバー３４の操作解除時には抑速ダンパ３５によってブレーキレバー３４の戻り速度が抑えられて当初の大きな制動トルクが次第に低減され、また、上記爪クラッチ機構３１の操作解除時は連繋機構３７，３８によってブレーキ機構３２が同時に操作解除される。
【００１９】
クラッチレバー３３とブレーキレバー３４が共に操作位置にある停車状態においては、連繋機構３７，３８を介して両レバー３３，３４が共に操作解除されることにより、図４の解除時のタイミングチャートに示すように、爪クラッチ機構３１の入操作に同期してブレーキレバー３４を入にして、駒３４ｐを介してブレーキ機構３２が動作する。ブレーキレバー３４は操作カム３６によって動作し、抑速ダンパ３５を介して除荷されて徐々にブレーキが解除されることから、滑らかな発進が可能となる。
【００２０】
このように、爪クラッチ機構３１が接続操作された時に同時に下流側のブレーキ機構３２で制動することにより、爪クラッチ機構３１以降の伝動系が即時に入力回転になることがなく、急発進が緩和される。したがって、安価でメンテナンスし易く構造が簡単な爪クラッチ機構３１による伝動調節手段を備える作業車両用走行伝動装置により、走行伝動系および作業者への過大な負荷を招くことのない滑らかな走行性を確保しつつ、爪クラッチ機構の特性を生かして簡易かつ小型の構成で効率的な伝動が可能となる。
【００２１】
次に、植付装置１０５について説明する。
植付装置１０５の苗タンク４１は、その要部関係図を図５に示すように、苗タンク４１を左右に往復駆動するリードカム部４２に給油手段を設ける。詳細には、給油手段の拡大説明図を図６に示すように、リードカム部４２に装着されている左右のダストブーツ４３，４３内にオイルタンクＴからチェックバルブ４４，４４を介して給油路４５を連通する。この給油路４５により、ダストブーツ４３，４３内の負圧を利用してオイルを自動給油することができる。
【００２２】
次に、補助苗枠１０９について説明する。
補助苗枠１０９の上下２段構成の上段苗枠５１は、その分解斜視図を図７に示すように、前後方向にスライド延長可能な延長金具５３、５３を設け、この延長金具５３、５３に苗箱移送用のローラー５４…を取付け、同延長金具５３、５３を上段苗枠５１に収納した時にローラー５４…を収納するためのスペース５１ｓ…を上段苗枠５１に形成する。延長金具５３、５３の収納時は長さ、および苗の収容枚数は下段苗枠と共通に構成する。
【００２３】
また、補助苗枠１０９の支持部は、分解斜視図を図８に示すように、本機と連結するベース板６１に複数の穴６１ｈ…を形成し、ピンＰを抜き差しすることで、回転支点の位置を変更可能に構成することにより、例えば、あまり前に移させたくない場合や、後ろに回転させたい場合等、使用状況に応じて苗枠１０９の動きを多様に調節することができる。
【００２４】
次に、苗タンクの施用ホースの構成を説明する。
苗タンク４１にその全幅にわたり除草剤Ａや米糠ペレットＢを散布するための施用ホース７１は、苗タンクの要部斜視図を図９（ａ）に示すように、サイドフレーム７２にホースホルダ７３を回動可能に軸支し、同図（ｂ）の要部拡大図に示すように、苗タンク４１から動力を得たアーム部７４と、スライド部のホースホルダ７３間にギヤ機構７５を設ける。このギヤ機構７５は２枚の異なるギヤによってギヤ比を変えることにより、ホースホルダ７３に保持したホース７１について苗タンク４１の１条分のスライド動作によって２条分のホーススライド動作を得ることができる。
このように、苗タンク４１の左右スライド動作を利用してアームをスライドさせることにより、特開２００６−５０９５０号公報等の先行構成例の如くの複雑な構成を要することなく、ホース７１を往復動作させることができる。
【図面の簡単な説明】
【００２５】
【図１】本発明の適用対象の田植機の側面図
【図２】伝動装置の構成展開図
【図３】伝動調節手段の要部拡大図
【図４】伝動調節手段の動作タイミングチャート
【図５】植付装置の要部関係図
【図６】給油手段の拡大説明図
【図７】上段苗枠の分解斜視図
【図８】補助苗枠の支持部の分解斜視図
【図９】苗タンクの要部斜視図（ａ）およびその要部拡大図（ｂ）
【符号の説明】
【００２６】
４  入力軸
３１  爪クラッチ機構（伝動調節手段）
３２  ブレーキ機構
３３  クラッチレバー
３４  ブレーキレバー
３４ｐ  駒
３５  抑速ダンパ
３６  操作カム
３６ａ  カム軸
３７  ギヤ機構（連繋機構）
３８  ワイヤ（連繋機構）
１０１  乗用田植機（作業車両）
１０２  前輪
１０３  後輪
１０５  植付装置（作業装置）
１０６  伝動装置
【図１】
0005007647.tif 000002
【図２】
0005007647.tif 000003
【図３】
0005007647.tif 000004
【図４】
0005007647.tif 000005
【図５】
0005007647.tif 000006
【図６】
0005007647.tif 000007
【図７】
0005007647.tif 000008
【図８】
0005007647.tif 000009
【図９】
0005007647.tif 000010